(57)【要約】【課題】ヘッド−紙間距離の変動低減と、コックリング高さの低減を実現し、インク液滴の着弾ズレを防止する。【解決手段】プラテン７には、シート搬送方向に延びる複数の凸部９と凹部１０が交互に配置されている。波打ち保持拍車１１は、記録領域下流で、ねじりコイルバネ１２に回転可能に支持され、凹部１０に圧接されている。凸部９の略下流には排紙ローラ対１３が設けられている。記録シートＳは、膨潤に起因するコックリングにより記録ヘッド１側に盛り上がるが、凹部１０でかなりの量が吸収されているので、記録ヘッド１とは接触せず、Ｐ−Ｐ（ｐｅａｋ　ｔｏ　ｐｅａｋの略）も低く押さえられる。記録シートＳの先端が排紙ローラ対１３を通過した後は、コックリングの山が搬送拍車１３ｂにつぶされ、波打ち保持拍車１１と搬送拍車１３ｂ間に分かれＰ−Ｐはさらに低くなる。【選択図】　図１
2004106978.tif 000002
【特許請求の範囲】
【請求項１】
記録シートを搬送する搬送手段と、前記記録シートに記録を行う記録ヘッドと対向する位置に配置され、前記記録シートの搬送方向に延びる複数の凹部および凸部が形成されたプラテンとを具備した記録装置において、
前記記録ヘッドの搬送方向下流で、かつ前記各凹部に対向する位置に圧接して配置されている回転可能な回転体を有することを特徴とする記録装置。
【請求項２】
前記記録ヘッドの搬送方向下流で、かつ前記各凸部に対向する位置に圧接して配置されている回転可能な回転体を有する、請求項１に記載の記録装置。
【請求項３】
前記回転体が配置された位置における、前記各凸部と前記各凹部との段差が少なくとも０．５ｍｍ以下である、請求項１または２に記載の記録装置。
【請求項４】
記録シートを搬送する搬送手段と、前記記録シートに記録を行う記録ヘッドと対向する位置に配置され、前記記録シートの搬送方向に延び、高さが最も高い突起からなる複数の第１の突起、および前記各第１の突起より高さの低い突起からなる複数の第２の突起を含む、少なくとも２種類以上の異なる高さの突起群を有するプラテンとを具備した記録装置において、
前記記録ヘッドの搬送方向下流で、前記各第２の突起の少なくとも１種類に圧接して配置されている回転可能な回転体を有することを特徴とする記録装置。
【請求項５】
前記記録ヘッドの搬送方向下流で、前記各第１の突起に対向する位置に圧接して配置されている回転可能な回転体を有する、請求項４に記載の記録装置。
【請求項６】
前記各第１の突起と、前記各第２の突起のうち前記回転体が圧接された突起との段差が、少なくとも０．５ｍｍ以下である、請求項４または５に記載の記録装置。
【請求項７】
前記記録ヘッドと対向する位置に配置されたプラテンに、前記記録シートの搬送方向に延びて設けられた、複数の凹部、複数の凸部、高さが最も高い突起からなる複数の第１の突起、および前記各第１の突起より高さの低い突起からなる複数の第２の突起のうち前記回転体の圧接される箇所が、前記プラテンに回転可能に支持されたコロ部材で形成されており、該コロ部材の外周上部は、その搬送方向上流と略同一高さを有する、請求項１から６のいずれか１項に記載の記録装置。
【請求項８】
記録シートを搬送する搬送手段と、前記記録シートに記録を行う記録ヘッドと対向する位置に配置され、前記記録シートの搬送方向に延びる複数の凹部および凸部を有するプラテンとを具備した記録装置において、
前記記録ヘッドの搬送方向下流で、かつ前記各凹部に対向する位置に配置され、少なくとも高さ方向に弾性移動可能に支持された回転可能な回転体を有するとともに、該回転体が対向する前記各凹部には前記回転体が接触しないようにスリットが形成されており、前記記録シートが無い状態で、前記回転体の外周下部が、前記各凹部と略同一高さ、および前記スリット内のいずれかの位置するように保持されていることを特徴とする記録装置。
【請求項９】
前記記録ヘッドの搬送方向下流で、かつ前記プラテンの複数の凸部に対向する位置に配置され、少なくとも高さ方向に弾性移動可能に支持された回転可能な別の回転体を有するとともに、該別の回転体が対向する前記各凸部には前記別の回転体が接触しないように別のスリットが形成されており、前記記録シートが無い状態で、前記別の回転体の外周下部が、前記各凸部と略同一高さ、および前記別のスリット内のいずれかに位置するように保持されている、請求項８に記載の記録装置。
【請求項１０】
前記別の回転体が配置された位置における前記各凸部と、前記スリットが形成された前記各凹部との段差が、少なくとも０．５ｍｍ以下である、請求項８または９に記載の記録装置。
【請求項１１】
前記記録ヘッドの搬送方向下流に位置する搬送手段が、前記各凸部の略搬送方向下流に記録シートを挟持して搬送する搬送ローラ対を有する、請求項１から３、７から１０のいずれか１項に記載の記録装置。
【請求項１２】
記録シートを搬送する搬送手段と、前記記録シートに記録を行う記録ヘッドと対向する位置に配置され、前記記録シートの搬送方向に延び、高さが最も高い突起からなる複数の第１の突起と、前記各第１の突起より高さの低い突起からなる複数の第２の突起とを含む、少なくとも２種類以上の異なる高さの突起群を有するプラテンとを具備した記録装置において、
前記記録ヘッドの搬送方向下流で、前記各第２の突起の少なくとも１種類に対向する位置に配置され、少なくとも高さ方向に弾性移動可能に支持された回転可能な回転体を有するとともに、該回転体が対向する前記突起群の突起には、前記回転体が接触しないようにスリットが形成されており、前記記録シートが無い状態で、前記回転体の外周下部が、前記回転体が対向する前記突起群の突起と略同一高さ、および前記スリット内のいずれかに位置するように保持されていることを特徴とする記録装置。
【請求項１３】
前記記録ヘッドの搬送方向下流で、前記第１の突起に対向する位置に配置され、少なくとも高さ方向に弾性移動可能に支持された回転可能な別の回転体を有するとともに、該別の回転体が対向する前記突起群の突起には、前記別の回転体が接触しないように別のスリットが形成されており、前記記録シートが無い状態で、前記別の回転体の外周下部が、前記別の回転体が対向する前記突起群の突起と略同一高さ、および前記別のスリット内のいずれかに位置するように保持されている、請求項１２に記載の記録装置。
【請求項１４】
前記別の回転体が配置された前記各第１の突起と、前記各第２の突起のうち前記スリットが設けられた各突起との段差が、少なくとも０．５ｍｍ以下である、請求項１２または１３に記載の記録装置。
【請求項１５】
前記回転体および前記別の回転体のそれぞれに対向する溝形状のスリット部が形成されたコロ部材が、前記プラテンに回転可能に支持されており、前記コロ部材の溝形状の両側部が、前記プラテンの搬送方向上流の面と略同一高さに位置している、請求項８から１０、１２から１４のいずれか１項に記載の記録装置。
【請求項１６】
前記記録ヘッドの搬送方向下流に位置する搬送手段が、前記第１の突起の略搬送方向下流に、記録シートを挟持して搬送する搬送ローラ対を有する、請求項４から７、１２から１５のいずれか１項に記載の記録装置。
【請求項１７】
前記プラテンが、前記記録シートの搬送方向に延びる複数の凹部および凸部を有しており、前記記録ヘッドの搬送方向上流に、前記記録シートに対して前記凸部で山となり、前記凹部で谷となる波打ち形状を付与する波打ち形状付与手段を有する、請求項１から１６に記載の記録装置。
【請求項１８】
前記波打ち形状付与手段が、前記記録ヘッドの搬送方向上流に位置する搬送ローラ対と前記凸部および前記凹部とを有し、前記搬送ローラ対のニップ位置が、前記凸部よりも上方に位置し、かつ前記搬送ローラ対のうち前記記録シートの非記録面に当接するローラに対して、もう一方の記録面に当接するローラが前記記録ヘッド側にオフセットして配置されていることにより、前記記録シートを前記プラテンに押し付ける構成である、請求項１７に記載の記録装置。
【請求項１９】
前記波打ち形状付与手段が、前記凸部および凹部に記録シートを導くためのシートガイド部材であり、前記記録シートを前記凹部に導くための突起部を有している、請求項１７に記載の記録装置。
【請求項２０】
前記シートガイド部材の突起部が弾性変形可能である、請求項１９に記載の記録装置。
【発明の詳細な説明】
【０００１】
【発明の属する技術分野】
本発明は記録手段によりシートに記録を行なう装置に関し、特にインクジェット記録手段からインク液滴を吐出して記録を行なうインクジェット記録装置の、記録領域およびその前後における装置の構成に関する。
【０００２】
【従来の技術】
インクジェット記録装置では安定した記録を行なうために、記録媒体である記録シートにインクが付与された際に発生するしわや、波打ち形状（以下コックリングという）の影響を極力排除し、また元々湿気などの影響によりカールを発生している記録シートに対しても記録ヘッド側への浮きを防止して、記録シートの表面と記録ヘッドとの間隔を保つようにしなければならない。これは、記録シートの浮きが、記録ヘッドと接触してしまう程の高さになると、記録ヘッドに付着していたインク滴の転写や、記録シート自体に付与され未定着のインクが擦られることによる、記録シートの汚損につながると同時に、記録ヘッドのインク吐出口自体に目詰まりを生じさせるなどの不具合が発生してしまうためである。
【０００３】
従来において、上述した課題を解決する技術が開示されている（例えば、特許文献１、特許文献２参照）。
【０００４】
【特許文献１】
特開２０００−０７１５３２号公報
【特許文献２】
特開２０００−１５８６４４号公報
まず図１２と図１３を用いて特許文献１に関わる第１の従来例を説明する。
【０００５】
インクジェット記録装置１００は、記録ヘッド１０１の記録シート搬送方向上流にシート搬送手段である搬送ローラ１０２と、これに圧接され従動回転するピンチローラ１０３とを有し、シート搬送方向下流には排出ローラ１０４と、これに圧接され従動回転する排紙拍車１０５を有する。また、記録ヘッド１０１と対向する位置に記録シートＳの裏面を案内するプラテン１０６を有し、プラテン１０６の上面には記録シートＳのシート材幅方向に波打ちを形成するための複数のリブ１０７と凹部１０８が交互に形成されている。そして、プラテン１０６の記録シート搬送方向上流には各凹部１０８内に記録シートＳを導くための突起１０９を有するシート材押え板１１０が設置されている。また、凹部１０８の記録シート搬送方向下流には、同様に記録シートＳを各凹部１０８方向に押さえるための波打ち保持拍車１１２が設置されている。また、前述した排紙ローラ１０４と排紙拍車１０５はプラテン１０６の各リブ１０７のシート搬送方向下流に位置し、排紙ローラ１０４と排紙拍車１０５で形成されるニップの高さは、リブ１０７とほぼ同一高さに配置されている。
【０００６】
以上のような構成において、記録シートＳのプラテン１０６上での挙動を図１２のＤ矢視図である図１３を用いて説明する。
【０００７】
シート材押え板１１０を通過した記録シートＳは図１３の実線Ｓ５で示されたような波打ち形状が付与される。この時、記録画像が高濃度の場合には、主な溶媒として水を用いた記録用インクが大量に打ち込まれた状態となり、記録シートＳは膨潤する。ここで、記録シートＳは記録領域直前で波打ち形状の頂点がリブ１０７とシート材押え板１１０の水平部１１１に押さえられているので、膨潤によっても動きがたい。逆に複数の凹部１０８では動きが規制されていないので、記録シートＳの膨潤による延びは、主に凹部１０８で発生する。そして突起１０９によって予め下向きに変位されているため、コックリングは確実に下向きに発生し、記録後の記録シートＳは図１３の破線で示されるＳ６のようになる。そして、記録領域においてＳ６に示すようなコックリングが形成された記録シートＳは、さらに搬送されると波打ち保持拍車１１２によりコックリングの状態が保持された状態で排紙ローラ１０４と排紙拍車１０５により搬送されるが、これら排紙ローラ対は複数のリブ１０７の下流に配置されているためコックリングの山部分に位置し、同じくコックリングの状態を保持する。
【０００８】
また、雰囲気環境による記録シートＳのカールであるが、記録シートＳは記録領域上流で波打ち形状が付与されており、記録シートＳの後端がシート材押え板１１０を通過した後も波打ち保持拍車１１２により波打ち形状が保持される。したがって、記録シートＳのコシが強くなり、カールも矯正されるので記録ヘッド１０１側に浮くことが防止される。
【０００９】
次に図１４から図１６を用いて特許文献２に関わる第２の従来例を説明する。なお、ここでは第１の従来例と同様の記述は重複説明を省略する。
【００１０】
インクジェット記録装置２００は、記録ヘッド２０１の記録シート搬送方向上流にシート搬送手段である搬送ローラ２０２と、これに圧接され従動回転するピンチローラ２０３を有し、シート搬送方向下流には排出ローラ２０４と、これに圧接され従動回転する排紙拍車２０５を有する。また、記録ヘッド２０１と対向する位置に記録シートＳの裏面を案内するプラテン２０６を有し、プラテン２０６の上面には記録シートＳのシート材幅方向に波打ちを形成するための複数のリブ２０７と、リブ２０７より高さの低い補助リブ２０８が複数設けられている。そして、プラテン２０６の記録シート搬送方向上流に位置する搬送ローラ２０２とピンチローラ２０３は図１４のＥ−Ｅ断面図である図１５に示すように、搬送ローラ２０２に対してピンチローラ２０３がプラテン２０６方向にオフセットされて配置され、かつそのニップ位置がリブ２０７の上方に位置するように構成されている。そのため、記録シートＳはリブ２０７に対して斜め上方から押し当てられるように搬送され、図１４のＦ矢視図である図１６の実線Ｓ７に示すように、リブ２０７で山、リブ２０７の間で谷となるような波打ち形状が付与されることとなる。また、前述した排紙ローラ２０４と排紙拍車２０５はプラテン２０６の各リブ２０７のシート搬送方向下流に位置し、リブ２０７間の記録シート搬送方向下流には、同様に記録シートＳをリブ２０７間、および排紙ローラ２０４間に押さえるための波打ち保持拍車２０９が設置されている。
【００１１】
以上のような構成において、記録シートＳのプラテン２０６上での挙動は、図１６に示すように、記録ヘッド２０１による記録前には実線で示すＳ７のような波打ち形状となり、高濃度の記録画像が記録された場合には、破線で示すＳ８のように、リブ２０７および補助リブ２０８間で記録シートＳの膨潤による延びが記録ヘッド２０１から遠ざかる方に発生する。
【００１２】
【発明が解決しようとする課題】
しかしながら上記従来例に示す構成においては、第１の課題として、記録シートの先端部分が波打ち保持拍車に到達する前後で記録シートに付与されている波打ち形状の谷の深さが変化することが挙げられる。これは、記録ヘッドの上流でシート材押え板１１０や、ピンチローラ２０３の搬送ローラ２０２に対するオフセットによって形成される波打ち形状（山谷の深さ）は、当然記録シートの厚みや剛性の違いによって異なり、また１枚のシートの中でも繊維の密度などにより、場所によって異なる。ところが波打ち保持拍車（１１２、２０９）の高さは、確実にリブ１０７や２０７間に記録シートを押込むため、部品公差や取付け公差を考慮した上でリブ１０７や２０７よりも低い位置に配置されている。したがって多くの場合、記録シート先端が波打ち保持拍車に到達した後に、谷の深さが増すこととなる。またここで、波打ち保持拍車２０９は弾性移動可能なようにねじりコイルバネ２１０により回転可能に軸支され、記録シートの剛性によってある程度高さ方向に移動可能に構成されているが、元々記録シートに波打ち形状を付与するために設けられているので、完全にその影響を消しうるものではない。
【００１３】
その結果、記録シートの先端部分が波打ち保持拍車に到達する前後で、記録ヘッドから記録シートの記録面までの距離が変化し、画像を形成するに当たって複数回の紙送りと同じく記録ヘッドの走査を繰り返すマルチパス記録などでは、インク液滴の着弾位置にズレが生じ、画像の色ズレや、がさ付き感が発生する場合があった。
【００１４】
また第２の課題として、記録シートに高濃度の記録画像が記録された場合には従来例の説明にもあるように、記録シートの膨潤は予め記録シートに付与されていた波打ち形状の谷部分、すなわちプラテンの凹部１０８やリブ２０７および補助リブ２０８間で、記録ヘッドから遠ざかる方に発生し、記録ヘッドとの接触を防止している。ところがその分弊害もあり、コックリングの発生した部分は、記録シートの記録面が記録ヘッドから遠ざかるために、インク液滴の着弾ズレが大きくなる。またこれから記録される未記録領域においても、コックリングの発生した領域の大きな波打ちの影響により、谷部分が記録ヘッドから遠ざかり、同様にインク液滴の着弾ズレが大きくなっていた。
【００１５】
またさらに第３の課題として記録シートの後端が搬送ローラ（１０２、２０２）を通過する前後で記録シートに付与されている波打ち形状の谷の深さが変化することが挙げられる。これは、記録シートの非記録面が幅方向全域に渡って、搬送ローラに下支えされている状態から、プラテンのリブ１０７や２０７部分のみ下支えされている状態になることにより発生する。すなわち、記録シートの後端が搬送ローラを通過する前の状態においては、プラテンのリブ１０７や２０７間に谷となる波打ち形状を付与しようとする際に、搬送ローラ部分では記録シートの全幅を下支えされているため、その抗力として影響している。ところが、記録シートの後端が搬送ローラを通過した後はこの抗力が無くなるため、谷の深さが増すことになる。その結果、インク液滴の着弾位置にズレが生じ、画像の色ズレやがさ付き感が発生する場合があった。
【００１６】
本発明は上記課題に鑑みてなされたものであり、本発明の目的はコックリングやカールの影響により記録ヘッドと記録シートとが接触することを防止しながら、記録シートの先端から後端までの全域において、記録ヘッドと記録シートの記録面との距離（以下、ヘッド−シート間距離という）を変動すること無く保つ記録装置の提供にある。また、本発明の他の目的は、高濃度の記録画像が記録された場合に発生するコックリングを記録ヘッドから遠ざける方向に発生するのではなく、記録ヘッド側へと成長させ、かつコックリングの山と谷の高さの差（以下Ｐ−Ｐという（ｐｅａｋ　ｔｏ　ｐｅａｋの略））を低くすることにより、記録ヘッドとの接触を防止しつつ、インク液滴の着弾ズレの悪化を極力排除することにある。
【００１７】
【課題を解決するための手段】
上記目的を達成するため、第１の本発明の記録装置は、記録シートを搬送する搬送手段と、前記記録シートに記録を行う記録ヘッドと対向する位置に配置され、前記記録シートの搬送方向に延びる複数の凹部および凸部が形成されたプラテンとを具備した記録装置において、
前記記録ヘッドの搬送方向下流で、かつ前記各凹部に対向する位置に圧接して配置されている回転可能な回転体を有することを特徴とする。
【００１８】
また、記録ヘッドの搬送方向下流で、かつ各凸部に対向する位置に圧接して配置されている回転可能な回転体を有するものであってもよい。
【００１９】
さらに、回転体が配置された位置における、各凸部と各凹部との段差が少なくとも０．５ｍｍ以下とするのが好ましく、この値は搬送方向上流で付与された波打ち形状が、記録領域にてそのＰ−Ｐがいくつに保たれているかによって決めるのが良い。
【００２０】
上記の第１の発明によれば、前述の従来例における波打ち保持拍車に相当する回転体が、プラテンの凹部に回転可能に圧接され配置されているので、確実に回転体の高さが決まり、かつ記録シートの波打ち形状の谷の深さもこの凹部によって決定されるために、記録シートの先端から後端までの全域において、ヘッド−シート間距離を安定して保つことが可能となる。
【００２１】
また、高濃度の記録画像が記録された場合には、予めプラテンの凸部分で山、凹部分で谷となる波打ち形状が付与されているため、波打ちの振幅が大きくなる方向に成長するが、波打ちの形状の谷部分はプラテンの凹部によって高さが決められ、かつ回転体によって押さえられているために、谷部の底面が広がるように記録シートの膨潤を吸収し、ここで吸収しきれなかった記録シートの膨潤が、波打ち形状の山部分に波及し、記録ヘッド側に若干盛り上がるようにコックリングとして成長する。ここで、記録シートの先端が搬送方向下流に配置された搬送ローラ対まで達すると、このコックリングの山部分がつぶされ、回転体（波打ち保持拍車）と搬送ローラ対間にコックリングの山が分かれる。すなわち、１つの山が２つに分かれることによりＰ−Ｐが低くなることで、記録ヘッドと接触することを防止しつつ、インク液滴の着弾ズレを極力排除することが可能となる。
【００２２】
また、第２の本発明の記録装置は、記録シートを搬送する搬送手段と、前記記録シートに記録を行う記録ヘッドと対向する位置に配置され、前記記録シートの搬送方向に延び、高さが最も高い突起からなる複数の第１の突起、および前記各第１の突起より高さの低い突起からなる複数の第２の突起を含む、少なくとも２種類以上の異なる高さの突起群を有するプラテンとを具備した記録装置において、
前記記録ヘッドの搬送方向下流で、前記各第２の突起の少なくとも１種類に圧接して配置されている回転可能な回転体を有することを特徴とする。
【００２３】
なおここで、記録ヘッドの搬送方向下流で、各第１の突起に対向する位置に圧接して配置されている回転可能な回転体を有するものであってもよい。
【００２４】
また、各第１の突起と、各第２の突起のうち回転体が圧接された突起との段差が、少なくとも０．５ｍｍ以下とするのが好ましく、この値は搬送方向上流で付与された波打ち形状が、記録領域にてそのＰ−Ｐがいくつに保たれているかによって決めるのが良い。
【００２５】
さらに、記録ヘッドと対向する位置に配置されたプラテンに、記録シートの搬送方向に延びて設けられた、複数の凹部、複数の凸部、高さが最も高い突起からなる複数の第１の突起、および各第１の突起より高さの低い突起からなる複数の第２の突起のうち回転体の圧接される箇所が、プラテンに回転可能に支持されたコロ部材で形成されており、該コロ部材の外周上部は、その搬送方向上流と略同一高さを有するものであってもよい。
【００２６】
上記の第２の発明によれば、前述の従来例における波打ち保持拍車に相当する回転体が、プラテンの複数の第２の突起の少なくとも１種類に回転可能に圧接され配置されているので、確実に回転体の高さが決まり、かつ記録シートの波打ち形状の谷の深さもこの第２の突起によって決定されるために、記録シートの先端から後端までの全域において、ヘッド−シート間距離を安定して保つことが可能となる。
【００２７】
また、高濃度の記録画像が記録された場合には、予めプラテンの複数の突起のうち最も高さの高い凸部分で山、第２の突起の少なくとも１種類であって、回転可能に圧接された回転体を有する部分において谷となる波打ち形状が付与されているため、波打ちの振幅が大きくなる方向に成長する。ここで波打ちの形状の谷部分はプラテンの第２の突起によって高さが決められてはいるものの、若干この突起間に谷が深くなる方向にコックリングとして成長し、ここで吸収しきれなかった記録シートの膨潤が、波打ち形状の山部分すなわち、最も高い突起部分に波及し、記録ヘッド側に若干盛り上がるようにコックリングとして成長する。次に、記録シートの先端が搬送方向下流に配置された搬送ローラ対まで達すると、このコックリングの山部分がつぶされ、回転体（波打ち保持拍車）と搬送ローラ対間にコックリングの山が分かれる。すなわち、１つの山が２つに分かれることによりＰ−Ｐが低くなることで、記録ヘッドと接触することを防止しつつ、インク液滴の着弾ズレの悪化を極力排除することが可能となる。
【００２８】
また、第３の本発明の記録装置は、記録シートを搬送する搬送手段と、前記記録シートに記録を行う記録ヘッドと対向する位置に配置され、前記記録シートの搬送方向に延びる複数の凹部および凸部を有するプラテンとを具備した記録装置において、
前記記録ヘッドの搬送方向下流で、かつ前記各凹部に対向する位置に配置され、少なくとも高さ方向に弾性移動可能に支持された回転可能な回転体を有するとともに、該回転体が対向する前記各凹部には前記回転体が接触しないようにスリットが形成されており、前記記録シートが無い状態で、前記回転体の外周下部が、前記各凹部と略同一高さ、および前記スリット内のいずれかの位置するように保持されていることを特徴とする。
【００２９】
また、記録ヘッドの搬送方向下流で、かつプラテンの複数の凸部に対向する位置に配置され、少なくとも高さ方向に弾性移動可能に支持された回転可能な別の回転体を有するとともに、該別の回転体が対向する各凸部には別の回転体が接触しないように別のスリットが形成されており、記録シートが無い状態で、別の回転体の外周下部が、各凸部と略同一高さ、および別のスリット内のいずれかに位置するように保持されているものであってもよい。
【００３０】
さらに、別の回転体が配置された位置における各凸部と、スリットが形成された各凹部との段差が、少なくとも０．５ｍｍ以下であってもよいし、記録ヘッドの搬送方向下流に位置する搬送手段が、各凸部の略搬送方向下流に記録シートを挟持して搬送する搬送ローラ対を有するものであってもよい。
【００３１】
また、第４の本発明の記録装置は、記録シートを搬送する搬送手段と、前記記録シートに記録を行う記録ヘッドと対向する位置に配置され、前記記録シートの搬送方向に延び、高さが最も高い突起からなる複数の第１の突起と、前記各第１の突起より高さの低い突起からなる複数の第２の突起とを含む、少なくとも２種類以上の異なる高さの突起群を有するプラテンとを具備した記録装置において、前記記録ヘッドの搬送方向下流で、前記各第２の突起の少なくとも１種類に対向する位置に配置され、少なくとも高さ方向に弾性移動可能に支持された回転可能な回転体を有するとともに、該回転体が対向する前記突起群の突起には、前記回転体が接触しないようにスリットが形成されており、前記記録シートが無い状態で、前記回転体の外周下部が、前記回転体が対向する前記突起群の突起と略同一高さ、および前記スリット内のいずれかに位置するように保持されていることを特徴とする。
【００３２】
また、記録ヘッドの搬送方向下流で、第１の突起に対向する位置に配置され、少なくとも高さ方向に弾性移動可能に支持された回転可能な別の回転体を有するとともに、該別の回転体が対向する突起群の突起には、別の回転体が接触しないように別のスリットが形成されており、記録シートが無い状態で、別の回転体の外周下部が、別の回転体が対向する突起群の突起と略同一高さ、および別のスリット内のいずれかに位置するように保持されているものであってもよい。
【００３３】
さらに、別の回転体が配置された各第１の突起と、各第２の突起のうちスリットが設けられた各突起との段差が、少なくとも０．５ｍｍ以下とするのが好ましい。
【００３４】
また、回転体および別の回転体のそれぞれに対向する溝形状のスリット部が形成されたコロ部材が、プラテンに回転可能に支持されており、コロ部材の溝形状の両側部が、プラテンの搬送方向上流の面と略同一高さに位置しているものであってもよい。
【００３５】
また、記録ヘッドの搬送方向下流に位置する搬送手段が、第１の突起の略搬送方向下流に、記録シートを挟持して搬送する搬送ローラ対を有するものであってもよい。
【００３６】
また、プラテンが、記録シートの搬送方向に延びる複数の凹部および凸部を有しており、記録ヘッドの搬送方向上流に、記録シートに対して凸部で山となり、凹部で谷となる波打ち形状を付与する波打ち形状付与手段を有するものであってもよい。
【００３７】
さらに、波打ち形状付与手段が、記録ヘッドの搬送方向上流に位置する搬送ローラ対と凸部および凹部とを有し、搬送ローラ対のニップ位置が、凸部よりも上方に位置し、かつ搬送ローラ対のうち記録シートの非記録面に当接するローラに対して、もう一方の記録面に当接するローラが記録ヘッド側にオフセットして配置されていることにより、記録シートをプラテンに押し付ける構成であってもよいし、あるいは、波打ち形状付与手段が、凸部および凹部に記録シートを導くためのシートガイド部材であり、記録シートを凹部に導くための突起部を有しているものであってもよく、この場合、シートガイド部材の突起部が弾性変形可能であってもよい。
【００３８】
上記の第３および第４の発明によれば、効果として第１および第２の発明と同様な効果が得られるとともに、記録シートが無い状態においては、回転体がプラテンと接触することが無いため、例えば回転体として外周面に複数の突起部を有する拍車が用いられた場合においても、拍車を損傷することが無い。また、ここで形成されるスリットは、回転体と接触を回避できる程度の幅のものであり、記録シートがこのスリット間に押込まれるほどの幅のものではない。
【００３９】
【発明の実施の形態】
（第１の実施形態）
本発明の第１の実施形態に関わる記録装置について図面を用いて説明する。
【００４０】
図１は本発明の記録装置のプラテン回りの一部を切り欠いた斜視図で、図２は図１におけるＡ−Ａ断面図である。
【００４１】
図１において記録ヘッド１はキャリッジ２に搭載されており、キャリッジ２は不図示のキャリッジモータによりタイミングベルト３を介して駆動されるもので、ガイドレール４とシャーシ５に設けられた支持レール６により支持されて、プラテン７上を往復走査するようになっている。
【００４２】
一方、記録シートＳは不図示の給送機構により、搬送ローラ８ａとピンチローラ８ｂとからなる搬送ローラ対８のニップ位置まで搬送され、斜行等が矯正される。ここで、ピンチローラ８ｂはピンチローラホルダ８ｃを介してピンチローラバネ８ｄの付勢力を受け、搬送ローラ８ａに付勢されている。これによりピンチローラ８ｂは搬送ローラ８ａの回転に従動し、記録シートＳを挟持搬送することができる。この時ピンチローラ８ｂは図２に示すように搬送ローラ８ａに対して搬送方向下流側にオフセットした位置で付勢されており、搬送ローラ対８のニップ位置はプラテン７よりも上方に位置するため、記録シートＳはプラテン７に対して斜め上方から押し当てられるようにして搬送されることとなる。
【００４３】
プラテン７はその搬送面に、シート搬送方向に延びる複数の凸部９と凹部１０が２０〜４０ｍｍ間隔で交互に配置されている。したがって記録シートＳは搬送ローラ対８によってプラテン７に押し当てられると、凸部９にて山となり凹部１０にて谷となる波打ち形状が付与される。ここで凸部９と凹部１０の段差は０．５ｍｍ以下とするのが好ましく、この値は個々の記録装置の記録領域、詳しくは記録ヘッド１の記録範囲において、前述した波打ちの谷部の位置する高さ以下に設定するのが良い。
【００４４】
また、記録領域下流の凹部１０には、波打ち保持拍車１１が配置され、ねじりコイルバネ１２にその回転中心が回転可能に支持され、かつ凹部１０に圧接されるように構成されている。これにより記録シートＳの先端が波打ち保持拍車１１に到達すると、その移動に伴って波打ち保持拍車１１は回転しながら記録シートＳの厚み分上方に移動し、記録シートＳを波打ち保持拍車と凹部１０間に導き入れることができる。ここで「拍車」とは外周に複数の鋭利な突起を設けた円盤状のもので、鋭利な突起により記録シートの記録面に微少な面積で当接するものであり、記録領域下流において記録シートＳ上に未定着のインクがある場合に、記録画像を乱さず記録シート搬送の補助をするものである。ここで、記録装置が定着性の良いインクを使用する場合においては、拍車に限らず、例えばモールド成形された単純な円盤状形状でも良い。
【００４５】
また、凸部９の略下流には排紙ローラ１３ａと搬送拍車１３ｂからなる排紙ローラ対１３が設けられている。ここで排紙ローラ１３ａは排紙ローラ軸１３ｃにゴムなどの弾性体で形成された排紙ローラ１３ａが圧入等により形成されている。搬送拍車１３ｂはねじりコイルバネ１２にその回転中心が回転可能に支持され、かつ排紙ローラ１３ａに付勢されている。これにより搬送拍車１３ｂは排紙ローラ１３ａの回転に従動し、記録シートＳを挟持搬送することができる。
【００４６】
このような構成において、記録の終了した記録シートＳは不図示の排紙トレイへと搬送され収納される。
【００４７】
次に図３（ａ）〜図３（ｄ）を用いて記録シートＳの記録前および高濃度の記録画像が記録された際の挙動について説明する。なおこれらの図は図１におけるＢ矢視図を示しており、図３（ａ）は記録シートＳの先端が波打ち保持拍車１１に到達する前の状態を表し、図３（ｂ）は記録シートＳの先端が波打ち保持拍車１１を通過した状態、図３（ｃ）は記録シートＳの先端が排紙ローラ対１３を通過した状態、図３（ｄ）は記録シートＳの後端が搬送ローラ対８を通過した状態を表すものである。また、各図における記録シートＳを表す実線Ｓ１は、記録ヘッド１による記録が行われる前の未記録状態の記録シート、もしくは低濃度の記録画像が記録され、記録シートの膨潤がほとんど発生していない状態を表し、破線Ｓ２は高濃度の記録画像が記録され、記録シートＳが膨潤しコックリングが発生した状態を表している。
【００４８】
まず図３の（ａ）〜（ｄ）において実線Ｓ１で示される、記録が行われる前の未記録状態の記録シート、もしくは低濃度の記録画像が記録され、膨潤がほとんど発生していない状態の記録シートを説明する。
【００４９】
最初に記録シートの先端が波打ち保持拍車１１に到達する前の挙動を説明する。記録シートＳ１は、搬送ローラ対８によりプラテン７に押し当てられるようにして搬送されることにより、凸部９で山となり凹部１０で谷となる波打ち形状が付与されている。ここで、凸部９と凹部１０の段差は記録範囲において、前述した波打ちの谷部の高さ以下に設定されているので、谷部に位置する記録シートＳ１の非記録面は凹部１０に接触している。また山部については搬送ローラ対８により凸部９に押し付けられているため、同様に非記録面が凸部９に接触している。（図３（ａ）の状態）
次に記録シートの先端が波打ち保持拍車１１を通過した状態を説明する。元々、波打ち保持拍車１１は凹部１０に圧接された状態で配置されていたので、波打ち保持拍車１１が記録シートＳ１の搬送に伴い、その厚み分だけ上昇するだけで、記録シートＳ１の姿勢やヘッド−シート間距離に変動はない。（図３（ｂ）の状態）
次に記録シートの先端が排紙ローラ対１３を通過した状態を説明する。（図３では排紙ローラ１３ａは図示していない。）ここでも、排紙ローラ対１３は、凸部９の略下流に設けられており、そのニップの高さも凸部９と略同一高さに配置されているため、搬送拍車１３ｂが記録シートＳ１の搬送に伴い、その厚み分だけ上昇するだけで、記録シートＳ１の姿勢やヘッド−シート間距離に変動はない（図３（ｃ）の状態）。
【００５０】
最後に記録シートの後端が搬送ローラ対８を通過した状態を説明する。ここでは、搬送ローラ対１３によるプラテン７への押し当て力が無くなってしまうが、記録シートＳ１の山部は排紙ローラ対１３によって保持され、谷部においては波打ち保持拍車１１によって凹部１０に押圧されているので記録シートＳ１の姿勢やヘッド−シート間距離に変動はない。また、本実施形態では、排紙ローラ対１３に対して、波打ち保持拍車１１を記録シート搬送方向上流に配置しているので、すでに排紙ローラ対１３を通過した記録シート先端部分の自重により、排紙ローラ対１３を基点として記録シートがお辞儀、すなわち、記録シートの先端が下方に垂れても、記録シートの後端が記録ヘッド１側に浮き上がることはない。（図３（ｄ）の状態）
以上のように、本発明では記録ヘッド１による記録が行われる前の未記録状態の記録シート、もしくは低濃度の記録画像が記録され、記録シートの膨潤がほとんど発生していない状態においては、波打ち形状やヘッド−シート間距離が記録シートの先端から後端まで変化することが無いので、インク液滴の着弾ズレを防止することが可能となる。
【００５１】
また、雰囲気環境による記録シートのカールであるが、記録領域上流で波打ち形状が付与されており、後端が搬送ローラ対１３を通過した後も波打ち保持拍車１１により波打ち形状が保持される。したがって、記録シートＳのコシが強くなり、カールも矯正されるので記録ヘッド１側に浮くことが防止される。
【００５２】
次に図３の（ａ）〜（ｄ）において破線Ｓ２で示される、記録シートに高濃度の記録画像が記録されコックリングが発生した状態について説明する。
【００５３】
最初に記録シートの先端が波打ち保持拍車１１に到達する前の挙動を説明する。高濃度の記録画像が記録された場合には、予めプラテン７の凸部分で山、凹部分で谷となる波打ち形状が付与されているため、基本的には記録シートＳ２の膨潤を波打ちの振幅が大きくなることで吸収しようとする。ところが、谷部分はプラテン７の凹部１０によって高さが決められているため、谷部の底面が広がるように記録シートＳ２の膨潤を吸収し、ここで吸収しきれなかった記録シートＳ２の膨潤が、波打ち形状の山部分に波及し、記録ヘッド１側に若干盛り上がるようにコックリングとして成長する（図３（ａ）の状態）。
【００５４】
ここで、従来例では谷部分が下支えされていない構成であったため、記録シートＳ２の膨潤は、谷部分が下に下がることによって吸収されていた。そのため、山部分が記録ヘッド１側に盛り上がることがほとんど無かったが、その分Ｐ−Ｐが大きくなり、結果としてこれから記録される領域のヘッド−シート間距離も広がっていた。これに対して本実施形態では、谷部分の底面は広がるが、ヘッド−シート間距離が広がることが無く、山部分については若干記録ヘッド１側に盛り上がるが、記録シートＳ２の膨潤は谷部分でかなりの量が吸収されているので、記録ヘッド１と接触するほどではない。
【００５５】
次に記録シートの先端が波打ち保持拍車１１を通過した状態を説明する。元々、波打ち保持拍車１１は凹部１０に圧接された状態で配置されていたので、ここでは波打ち保持拍車１１が記録シートＳ２の搬送に伴い、その厚み分だけ上昇するだけで、記録シートＳ２の状態は図３（ａ）に示した状態と変わらない（図３（ｂ）の状態）。
【００５６】
次に記録シートの先端が排紙ローラ対１３を到達した状態を説明する。ここでは排紙ローラ対１３のニップ高さは、凸部９と略同一高さに配置されているため、図３（ｂ）の状態のように凸部９から浮いた状態でコックリングの山が到達すると、この山がつぶされ搬送拍車１３ｂの左右すなわち、波打ち保持拍車１１と搬送拍車１３ｂ間に分かれる。したがって１つの山が２つに分かれることにより、従来例に比べＰ−Ｐはさらに低くなる（図３（ｃ）の状態）。
【００５７】
最後に記録シートの後端が搬送ローラ対８を通過した状態を説明する。ここでは前述したように記録シートの先端がお辞儀したことによる、後端の浮き上がりも無く、記録シートＳ２の状態は図３（ｃ）に示した状態と変わらない（図３（ｄ）の状態）。
【００５８】
以上のように、本発明では高濃度の記録画像が記録され、コックリングが発生した場合においても、予め規定された高さ以下にコックリングの谷が落ち込むことが無く、谷部の底面が広がることで膨潤が吸収され、ここで吸収しきれなかった膨潤が、波打ち形状の山部分に波及し、記録ヘッド１側に若干盛り上がるようにコックリングとして成長するが、記録シートの膨潤は谷部分でかなりの量が吸収されているので、記録ヘッド１と接触するほどではなくＰ−Ｐも低く押さえることが可能となる。また、記録シートの先端が排紙ローラ対１３を通過後は、コックリングの山数が２倍になることで、さらにＰ−Ｐが低く押さえられる。したがって、インクの着弾ズレを最小限に止めることが可能となり、かつ記録ヘッドとの接触も防止することができる。
【００５９】
ここで補足であるが、記録シートの膨潤は波打ちの山数が多いほど、その振幅であるＰ−Ｐは低く押さえることができる。したがって、予め記録シートに波打ち形状を付与しておく形態においては、初めから山数を増やしておけば良いのではないかという指摘も有るが、元々平らな記録シートに波打ち形状を付与するには、その山のピッチが２０〜４０ｍｍ程度必要である。これを無視し、山数を増やそうとすると、谷となるべき所が山となったり、隣り合う山が１つの山となり、記録ヘッド側に浮く現象が発生する。本発明でコックリングの山数を２倍にできたのは、コックリングが発生し、ある程度剛性の弱まった記録シートに対して、搬送拍車１３ｂによって１山を２山に分割しているからである。
【００６０】
以下の各実施形態における記録装置は、基本的に第１の実施形態の記録装置と同様であるため、第１の実施形態と異なる点についてのみ説明し、同一部材については同一符号で示すものとする。
（第２の実施形態）
第１の実施形態ではプラテン７上に配置されている拍車は凹部１０に圧接されている波打ち保持拍車１１のみとしたが、本実施形態においては、図４に示すように、波打ち保持拍車１１に加えて、凸部９上にも凸部拍車１４が配置されている。凸部拍車１４は波打ち保持拍車１１と、搬送方向にて略同一位置に配置され、ねじりコイルバネ１５にその回転中心が回転可能に支持され、かつ凸部９に圧接されるように構成されている。このような構成を取ることにより、未記録状態の記録シートや、記録による膨潤がほとんど発生していない記録シートにおいては、より確実に記録シートを凸部９に密着させることが可能となり、コックリングの発生した記録シートにおいては、排紙ローラ対１３に到達するより前に、山数を２倍にすることが可能となる。
（第３の実施形態）
本実施形態は、図５に示すように、プラテン７に切り欠き７ａが形成されており、この切り欠き７ａの位置に排紙ローラ対１３が配置されている。これにより、排紙ローラ対１３を波打ち保持拍車１１と搬送方向にて略同一位置に配置されている。
【００６１】
ただしこの場合においては、記録シートの後端が搬送ローラ対８を抜けてからの後端浮きを防止するため、排紙ローラ１３ａに対して搬送拍車１３ｂを搬送方向上流側にオフセットし、記録紙後端をプラテン７方向に押し当てる構成とすることが必要となる。本実施形態のこのような構成とすることで装置の奥行方向が短縮され省スペース化をも実現できる。
（第４の実施形態）
第１の実施形態においては凹部１０の高さを搬送方向の上流から下流にかけて同一高さとして構成したが、本実施形態においては、図６に示すように上流側の凹部を低く構成されている。すなわち、プラテン７上には第１の凹部１６と第２の凹部１７が設けられている。第２の凹部１７と凸部９の段差については、これまでと同様に構成され、第１の凹部１６については第２の凹部１７よりも低く構成されている。また、第２の凹部１７の搬送方向の位置において、記録ヘッド１の記録位置の概略直下に位置している。本実施形態のこのような構成とすることで、第１の凹部１６の範囲においては、第２の凹部１７の範囲よりも波打ち形状の振幅が大きく構成されるため、確実に第２の凹部１７の範囲まで波打ち形状を波及させることが可能となり、特に搬送ローラ対８から記録ヘッド１の記録位置まで遠い場合や、記録ヘッド１の長さが長い場合に有効である。
（第５の実施形態）
上述した各実施形態では、プラテン７上に構成される凸部と凹部は各１種類としていたが、本実施形態の記録装置は、図７に示すように、プラテン７上に高さの異なる３種類の凸部が設けられている。
【００６２】
図７において、プラテン７上にはそれぞれ高さの異なる第１の凸部１８と、第２の凸部１９、そして第３の凸部２０とが配置されている。これら各突起のうち、第１の凸部１８が最も高く、次いで第２の凸部１９、最も低いのが第３の凸部２０である。ここで、第１の凸部１８と第２の凸部１９の段差は、０．５ｍｍ以下とするのが好ましく、この値は個々の記録装置の記録領域、詳しくは記録ヘッド１の記録範囲において、前述した波打ちの谷部の位置する高さ以下に設定するのが良い。第３の凸部２０は、第１の凸部１８と第２の凸部２０の間に配置されている。また、波打ち保持拍車１１は第２の凸部１９上に圧接されるように構成されている。
【００６３】
次に図８（ａ）〜図８（ｄ）を用いて記録シートＳの記録前および高濃度の記録画像が記録された際の挙動について説明する。なおこれらの図は図７におけるＣ矢視図を示しており、図８（ａ）は記録シートＳの先端が波打ち保持拍車１１に到達する前の状態を表し、図８（ｂ）は記録シートＳの先端が波打ち保持拍車１１を通過した状態、図８（ｃ）は記録シートＳの先端が排紙ローラ対１３を通過した状態、図８（ｄ）は記録シートＳの後端が搬送ローラ対８を通過した状態を表すものである。また、各図における記録シートＳを表す実線Ｓ３は、記録が行われる前の未記録状態の記録シート、もしくは低濃度の記録画像が記録され、膨潤がほとんど発生していない状態を表し、破線Ｓ４は高濃度の記録画像が記録され、記録シートが膨潤しコックリングが発生した状態を表している。
【００６４】
まず図８の（ａ）〜（ｄ）において実線Ｓ３で示される、記録が行われる前の未記録状態の記録シート、もしくは低濃度の記録画像が記録され、膨潤がほとんど発生していない状態の記録シートの説明をする。これについては第１の実施形態で用いた図３によるものに対して波打ち形状の谷部の当接箇所が、凹部１０から第２の凸部１９に変わっただけで、記録シートの挙動自体に変化はないので詳しい説明を省略する。
【００６５】
次に図８の（ａ）〜（ｄ）において破線Ｓ４で示される、高濃度の記録画像が記録されコックリングが発生した状態について説明する。
【００６６】
最初に記録シートの先端が波打ち保持拍車１１に到達する前の挙動を説明する。高濃度の記録画像が記録された場合には、予め第１の凸部１８で山、第２の凸部１９で谷となる波打ち形状が付与されているため、基本的には記録シートの膨潤を波打ちの振幅が大きくなることで吸収しようとする。ところが、谷部分は第２の凸部１９によって高さが決められているため、谷部が２つに分かれて第２の凸部１９と、第３の凸部２０の間に発生し膨潤を吸収する。また、ここで吸収しきれなかった記録シートの膨潤は、波打ち形状の山部分に波及するが、第１の実施形態での構成と比べて、谷部で吸収する量が多くなる分だけ、記録ヘッド１側への盛り上がり量は減少する（図８（ａ）の状態）。
【００６７】
次の、記録シート１の先端が波打ち保持拍車１１を通過した状態の波打ち保持拍車１１の挙動は、第１の実施形態と同一で、記録シートＳ４の状態は図８ａに示した状態と変わらない（図８（ｂ）の状態）。
【００６８】
次に記録シートの先端が排紙ローラ対１３を到達した状態を説明する。ここでは排紙ローラ対１３のニップ高さは、第１の凸部１８と略同一高さに配置されているため、図８（ｂ）の状態のように第１の凸部１８から浮いた状態でコックリングの山が到達すると、この山がつぶされ搬送拍車１３ｂの左右、すなわち、波打ち保持拍車１１と搬送拍車１３ｂ間に分かれる。したがって１つの山が２つに分かれることにより、従来例に比べＰ−Ｐはさらに低くなる（図８（ｃ）の状態）。
【００６９】
最後に記録シートの後端が搬送ローラ対８を通過した状態を説明する。ここでは前述したように記録シートの先端がお辞儀したことによる、後端の浮き上がりも無く、記録シートＳ２の状態は図３（ｃ）に示した状態と変わらない（図８（ｄ）の状態）。
【００７０】
以上のように、本実施形態では、コックリングが発生した場合の波打ち保持拍車１１に到達する前の状態において、記録ヘッド１側への盛り上がり量をより少なくすることが可能となる。ただし、その際に谷部のヘッド−シート間距離が若干増加するので、コックリングの発生しにくいフィルム系の記録シートがメインの装置に適している。この場合、極力ヘッド１と第１の凸部１８の距離を縮めて高画像を得られるようにし、まれに使用するコックリングしやすい記録シートの場合のみ、若干谷部のシート−ヘッド間距離が広がるが、記録ヘッド１との接触を防止することができる。
【００７１】
ここで、本実施形態においてはプラテン７上に配置される拍車を、第２の凸部１９に当接する波打ち保持拍車１１のみとしたが、第２の実施形態に示すように第１の凸部１８に当接する凸部拍車１４を配置しても良く、第３の実施形態に示すように排紙ローラ対１３を波打ち保持拍車１１と搬送方向において略同一位置に配置しても良い。また、第４の実施形態に示すように第２および第３の凸部１９、２０の上流側を一段低くしても良い。また、凸部の種類は、本実施形態では３種類としたが、これに限定されるものではなく、少なくとも２種類以上設けられると好適である。
（第６の実施形態）
上述した各実施形態では、波打ち保持拍車１１や凸部拍車１４は直接プラテン７上の凹部や凸部に圧接されていたが、本実施形態の記録装置は、図９に示すように、プラテン７上に回転可能なコロが設けられた構成となっている。
【００７２】
図９において凸部コロ２１は、凸部９の記録領域下流で、その外周上面が凸部９と略同一高さになるように、プラテン７上に回転可能に設けられている。また、凹部コロ２２は凹部１０の記録領域下流で、その外周上面が凹部１０と略同一高さになるように、プラテン７上に回転可能に設けられている。そして、凸部コロ２１には凸部拍車１４が圧接され、凹部コロ２２には波打ち保持拍車１１が圧接される配置となっている。
【００７３】
以上のような構成において、記録シートＳは波打ち保持拍車１１と回転可能な凹部コロ２２間、および凸部拍車１４と回転可能な凸部コロ２１間に挟持されていることになるので、記録シートＳの搬送抵抗を減少させることが可能となる。また、凸部コロ２１と凹部コロ２２は直接プラテン７に組み込まれるため、その外周上面を、それぞれ凸部９と凹部１０の高さと略同一高さとすることが容易である。したがって、その他の効果は第２の実施形態で得られる効果と同様である。
（第７の実施形態）
上述した各実施形態では、波打ち保持拍車１１や凸部拍車１４を直接プラテン７上の凸部９や凹部１０に圧接させた構成であったが、本実施形態の記録装置は、図１０に示すように、拍車の外周下面を記録シートＳが無い状態においては凸部９や凹部１０と同一以下に保持し、かつこれら拍車がプラテンに接触しないようにプラテン７上にスリットを設けた構成となっている。
【００７４】
図１０において、波打ち保持拍車２３は、ねじりコイルバネ２５により、その回転中心が回転可能でかつ高さ方向に弾性移動可能に支持されている。また、その外周下面の高さは、凹部１０に対して同一高さ以下に位置となるように、不図示の拍車ホルダによって保持されている。同様に、凸部拍車２４は、ねじりコイルバネ２６により、その回転中心が回転可能で、かつ高さ方向に弾性移動可能に支持されている。また、その外周下面の高さは、凸部９に対して同一高さ以下に位置となるように、不図示の拍車ホルダによって保持されている。また、波打ち保持拍車２３の位置する凹部１０には、波打ち保持拍車２３が接触しない程度のスリット２７が設けられている。同様に凸部拍車２４の位置する凸部９にもスリット２８が設けられている。したがって、記録シートＳがこれら波打ち保持拍車２３、２４に到達すると、これら波打ち保持拍車２３、２４は記録シートＳの搬送に伴って回転しながら記録シートＳの厚み分、凹部１０や凸部９より上方に移動する。ここで、スリット２７、２８は、波打ち保持拍車２３や凸部拍車２４が接触しない程度のスリット幅であるため、これら拍車によって、記録シートＳがこのスリット２７、２８間に押込まれることはない。よって、記録シートＳの姿勢は、凹部１０で波打ち形状の谷、凸部９で山という、上述した各実施形態で説明したものと同様である。
【００７５】
以上のような構成においては、記録シートＳが波打ち保持拍車２３や凸部拍車２４に到達する前には、波打ち保持拍車２３、２４がプラテン７と接触することが無いため、拍車の外周面に設けられた突起を損傷することが防止される。また逆に、これら突起によってプラテン７にキズなどが発生することが防止され、記録シートＳがこのキズに引っかかることによるジャムや、ダメージを回避することが可能となる。またその他の効果は第２の実施形態で得られる効果と同様である。
（第８の実施形態）
第７の実施形態ではプラテンに直接スリットを設けたが、本実施形態の記録装置は、図１１に示すように、スリット部を第６の実施形態で説明したようなコロによって構成したものである。
【００７６】
凸部スリットコロ２９は、凸部拍車２４に対応する部分の径がその両側部２９ａの径よりも小さい小径部２９ｂが形成されており、凸部９の記録領域下流で、両側部２９ａの外周上面が凸部９の、記録シートＳの搬送方向上流側と略同一高さになるようにプラテン７上に回転可能に設けられている。同様に、凹部スリットコロ３０は、波打ち保持拍車２３に対応する部分の径がその両側部３０ａの径よりも小さい小径部３０ｂが形成されており、凹部１０の記録領域下流で、両側部３０ａの外周上面が凹部１０の、記録シートＳの搬送方向上流側と略同一高さになるようにプラテン７上に回転可能に設けられている。すなわち、本実施形態の凸部スリットコロ２９および凹部スリットコロ３０は、両側部２９ａ、３０ａの間の小径部２９ｂ、３０ｂを第６の実施形態で説明したスリットと同様に機能させるようにしたものである。
【００７７】
以上、本実施形態の構成においては、第６の実施形態の効果と第７の実施形態の効果とを合わせて得られることとなる。
【００７８】
以上、具体例を挙げ実施形態を説明してきたが、これまでに挙げた実施形態の組み合わせによって記録装置を構成しても良いことは言うまでもない。また、記録領域上流の波打ち付与手段としては、第２の従来例と同様の構成にて説明を行なってきたが、第１の従来例と同様の構成でも良く、上流側の波打ち付与手段を限定するものではない。
【００７９】
【発明の効果】
以上説明したように、第１の発明によれば、回転体を、プラテンの凹部に回転可能に圧接し配置したので、確実に回転体の高さが決まり、かつ記録シートの波打ち形状の谷の深さもこの凹部によって決定されるために、記録シートの先端から後端までの全域において、ヘッド−シート間距離を安定して保つことが可能となる。
【００８０】
また、高濃度の記録画像が記録された場合にも、波打ち形状の谷部はプラテンの凹部によって高さが決められ、かつ回転体によって押さえられているために、谷部の底面が広がるように記録シートの膨潤を吸収し、ここで吸収しきれなかった記録シートの膨潤によるコックリングの山を搬送ローラ対により２つに分けることでＰ−Ｐが低くなるので、記録ヘッドと接触することを防止しつつ、インク液滴の着弾ズレを極力排除することが可能となる。
【００８１】
また、第２の発明によれば、回転体が、プラテンの複数の第２の突起の少なくとも１種類に回転可能に圧接され配置されているので、確実に回転体の高さが決まり、かつ記録シートの波打ち形状の谷の深さもこの第２の突起によって決定されるために、記録シートの先端から後端までの全域において、ヘッド−シート間距離を安定して保つことが可能となる。
【００８２】
さらに第３および第４の発明によれば、第１および第２の発明と同様な効果が得られるとともに、記録シートが無い状態においては、回転体がプラテンと接触することが無いため、例えば回転体として外周面に複数の突起部を有する拍車が用いられた場合においても、拍車を損傷することが無い。
【図面の簡単な説明】
【図１】本発明の第１の実施形態に係わる記録装置の斜視図である。
【図２】図１に示す記録装置のＡ−Ａ断面図である。
【図３】図１に示す記録装置のＢ矢視図で記録シートの挙動を説明する図である。
【図４】本発明の第２の実施形態に係わる記録装置の斜視図である。
【図５】本発明の第３の実施形態に係わる記録装置の斜視図である。
【図６】本発明の第４の実施形態に係わる記録装置の断面図である。
【図７】本発明の第５の実施形態に係わる記録装置の斜視図である。
【図８】図７に示す記録装置のＣ矢視図記録シートの挙動を説明する図である。
【図９】本発明の第６の実施形態に係わる記録装置の斜視図である。
【図１０】本発明の第７実施形態に係わる記録装置の斜視図である。
【図１１】本発明の第８の実施形態に係わる記録装置の斜視図である。
【図１２】第１の従来例に係わる記録装置の斜視図である。
【図１３】図１２に示す記録装置のＤ矢視図で記録シートの挙動を説明する図である。
【図１４】第２の従来例に係わる記録装置の斜視図である。
【図１５】図１４に示す記録装置のＥ−Ｅ断面図である。
【図１６】図１４に示す記録装置のＦ矢視図で記録シートの挙動を説明する図である。
【符号の説明】
１　　記録ヘッド
２　　キャリッジ
３　　タイミングベルト
４　　ガイドレール
５　　シャーシ
６　　支持レール
７　　プラテン
８　　搬送ローラ対
８ａ　　搬送ローラ
８ｂ　　ピンチローラ
８ｃ　　ピンチローラホルダ
８ｄ　　ピンチローラバネ
９　　凸部
１０　　凹部
１１　　波打ち保持拍車
１２、１５　　ねじりコイルバネ
１３　　排紙ローラ対
１３ａ、１３ｂ　　排紙ローラ
１３ｃ　　排紙ローラ軸
１４　　凸部拍車
１５　　ねじりコイルバネ
１６　　第１の凹部
１７　　第２の凹部
１８　　第１の凸部
１９　　第２の凸部
２０　　第３の凸部
２１　　凸部コロ
２２　　凹部コロ
２３　　保持拍車
２４　　凸部拍車
２７、２８　　スリット
２９　　凸部スリットコロ
２９ａ、３０ａ　　両側部
３０　　凹部スリットコロ
【図１】
2004106978.tif 000003
【図２】
2004106978.tif 000004
【図３】
2004106978.tif 000005
【図４】
2004106978.tif 000006
【図５】
2004106978.tif 000007
【図６】
2004106978.tif 000008
【図７】
2004106978.tif 000009
【図８】
2004106978.tif 000010
【図９】
2004106978.tif 000011
【図１０】
2004106978.tif 000012
【図１１】
2004106978.tif 000013
【図１２】
2004106978.tif 000014
【図１３】
2004106978.tif 000015
【図１４】
2004106978.tif 000016
【図１５】
2004106978.tif 000017
【図１６】
2004106978.tif 000018